(57)【要約】【課題】任意の作詞者が作成した歌詞を作詞者のイメージで印刷可能なものとして容易に登録する。【解決手段】端末１０−１〜１０−ｎから送信された歌詞を取得する歌詞取得部３１と、端末１０−１〜１０−ｎから送信された画像を、該画像内にて歌詞を配置する領域を示すエリア情報とともに取得する画像取得部３２と、歌詞取得部３１にて取得された歌詞を、画像取得部３２にて取得された画像のエリア情報によって示される領域に配置して歌詞情報を組み立てる情報組立部３３と、情報組立部３３にて組み立てられた歌詞情報を歌詞情報データベース２２に登録して管理する歌詞情報管理部３４とを有する。【選択図】図１
2007317119.tif 000002
【特許請求の範囲】
【請求項１】
インターネットに接続可能な端末から送信された歌詞を登録する歌詞登録システムであって、
前記端末から送信された歌詞を取得する歌詞取得手段と、
前記端末から送信された画像を、該画像内にて前記歌詞を配置する領域を示すエリア情報とともに取得する画像取得手段と、
前記歌詞取得手段にて取得された歌詞を、前記画像取得手段にて取得された画像の前記エリア情報によって示される領域に配置して歌詞情報を組み立てる情報組立手段と、
前記情報組立手段にて組み立てられた歌詞情報を歌詞情報データベースに登録して管理する歌詞情報管理手段とを有する歌詞登録システム。
【請求項２】
請求項１に記載の歌詞登録システムにおいて、
前記歌詞情報管理手段は、前記情報組立手段にて組み立てられた歌詞情報を、楽曲毎に付与された識別情報に対応づけて歌詞情報データベースに登録して管理し、
前記歌詞取得手段は、前記歌詞による楽曲を特定可能な楽曲情報を当該歌詞とともに取得し、
前記歌詞取得手段にて取得された楽曲情報を前記識別情報に対応づけて楽曲情報データベースに登録して管理する楽曲情報管理手段を有することを特徴とする歌詞登録システム。
【発明の詳細な説明】
【技術分野】
【０００１】
本発明は、作詞した歌詞を登録する歌詞登録システムに関する。
【背景技術】
【０００２】
従来、楽曲等の音楽を取得する場合は、ＣＤやレコード等の記録媒体を購入することが行われていた。その場合、購入したＣＤやレコード等の記録媒体には、それに記録された音楽の歌詞が記載された歌詞カードや冊子が添付されており、購入者は、その歌詞カードや冊子によって音楽の歌詞を知ることができ、音楽を視聴しながら歌詞を口ずさむことが可能となる。
【０００３】
近年、インターネットの普及に伴い、インターネットを介して音楽を配信するサービスが行われている。このサービスを利用する場合は、音楽を配信するサイトに携帯電話やパソコン等を用いてアクセスし、所望の音楽を指定することにより、そのサイトから音楽をダウンロードすることができる。
【０００４】
ところが、このように音楽を携帯電話やパソコンにインターネットを介してダウンロードした場合、上述したようなＣＤやレコード等の記録媒体を購入した場合のように音楽の歌詞が記載された歌詞カードや冊子が添付されていないため、ダウンロードによって音楽を取得したユーザは、その音楽の歌詞を知ることができない。
【０００５】
ここで、携帯電話にて指定された音楽の歌詞を印刷して提供するシステムが特許文献１に開示されている。このシステムにおいては、楽曲等の音楽の歌詞データがテキストデータやイメージデータとして検索装置にて管理されており、携帯電話がネットワークを介して検索装置にアクセスし、所望の音楽が指定されることにより、その音楽の歌詞データがファクシミリ装置やコピー機、プリンタ等の印刷装置に送信され、指定された音楽の歌詞がファクシミリ装置やコピー機、プリンタ等の印刷装置にて印刷される。これにより、上述したように音楽を携帯電話やパソコンにダウンロードした場合であっても、ダウンロードによって音楽を取得したユーザは、ダウンロードした音楽の歌詞を知ることができるようになる。
【特許文献１】特開２００２−２７８５６１号公報
【発明の開示】
【発明が解決しようとする課題】
【０００６】
しかしながら、特許文献１に開示されたシステムにおいては、システム側で予め決められた楽曲の歌詞が検索装置にて管理されており、その歌詞が印刷されることになるため、例えば、アマチュアの作詞者が作詞した歌詞を印刷して提供することができないという問題点がある。また、検索装置にて予め管理されているテキストデータやイメージデータからなる歌詞データがそのまま印刷されることになるため、歌詞が印刷された印刷物が作詞者のイメージとは大きく異なるものとなってしまう虞れがある。
【０００７】
本発明は、上述したような従来の技術が有する問題点に鑑みてなされたものであって、任意の作詞者が作成した歌詞を作詞者のイメージで印刷可能なものとして容易に登録することができる歌詞登録システムを提供することを目的とする。
【課題を解決するための手段】
【０００８】
上記目的を達成するために本発明は、
インターネットに接続可能な端末から送信された歌詞を登録する歌詞登録システムであって、
前記端末から送信された歌詞を取得する歌詞取得手段と、
前記端末から送信された画像を、該画像内にて前記歌詞を配置する領域を示すエリア情報とともに取得する画像取得手段と、
前記歌詞取得手段にて取得された歌詞を、前記画像取得手段にて取得された画像の前記エリア情報によって示される領域に配置して歌詞情報を組み立てる情報組立手段と、
前記情報組立手段にて組み立てられた歌詞情報を歌詞情報データベースに登録して管理する歌詞情報管理手段とを有する。
【０００９】
上記のように構成された本発明においては、端末から送信された歌詞は歌詞取得手段にて取得され、また、端末から送信された画像は画像取得手段にて取得される。ここで、画像取得手段においては、画像内にて歌詞を配置する領域を示すエリア情報が画像とともに取得されている。歌詞取得手段にて取得された歌詞と画像取得手段にて取得された画像とは情報組立手段に与えられ、情報組立手段において、歌詞取得手段にて取得された歌詞が、画像取得手段にて取得された画像のエリア情報によって示される領域に配置されて歌詞情報が組み立てられる。その後、情報組立手段にて組み立てられた歌詞情報は、歌詞情報管理手段において、歌詞情報データベースに登録して管理されることになる。
【００１０】
このように、端末にて指定された歌詞が端末にて指定された画像の指定された領域に配置されて歌詞情報として登録されるので、任意の作詞者が端末を用いて自分が作詞した歌詞を所望のイメージで登録することができる。
【００１１】
また、前記歌詞情報管理手段は、前記情報組立手段にて組み立てられた歌詞情報を、楽曲毎に付与された識別情報に対応づけて歌詞情報データベースに登録して管理し、
前記歌詞取得手段は、前記歌詞による楽曲を特定可能な楽曲情報を当該歌詞とともに取得し、
前記歌詞取得手段にて取得された楽曲情報を前記識別情報に対応づけて楽曲情報データベースに登録して管理する楽曲情報管理手段を有する構成とすることも考えられる。
【００１２】
この場合、楽曲情報となる楽曲の曲名や作詞者の名前等が指定されると、楽曲情報管理手段において楽曲情報データベースの中から指定された楽曲情報に対応づけられた識別情報が検索され、歌詞情報管理手段において、歌詞情報データベースの中から、楽曲情報管理手段にて検索された識別情報に対応づけられた歌詞情報が検索されることになる。これにより、歌詞情報データベースに登録された歌詞情報を、楽曲の曲名や作詞者の名前等によって検索することができる。
【発明の効果】
【００１３】
以上説明したように本発明においては、端末にて指定された歌詞が端末にて指定された画像の指定された領域に配置されて歌詞情報として登録される構成としたため、任意の作詞者が作成した歌詞を作詞者のイメージで印刷可能なものとして容易に登録することができる。
【００１４】
また、歌詞情報を楽曲毎に付与された識別情報に対応づけて登録しておき、歌詞を取得する際にその歌詞による楽曲を特定可能な楽曲情報を取得し、その楽曲情報を識別情報に対応づけて登録しておくものにおいては、楽曲情報として楽曲の曲名や作詞者の名前等を用いれば、登録された歌詞情報を、楽曲の曲名や作詞者の名前等によって検索することができる。
【発明を実施するための最良の形態】
【００１５】
以下に、本発明の実施の形態について図面を参照して説明する。
【００１６】
図１は、本発明の歌詞登録システムの実施の一形態を示す図である。
【００１７】
本形態は図１に示すように、インターネット４０に接続可能な複数の端末１０−１〜１０−ｎを用いて利用可能なものであって、Ｗｅｂサーバ２１、歌詞管理サーバ３０、注文管理サーバ２４、情報検索部２５及び印刷部２６から構成された歌詞登録印刷システム２０である。
【００１８】
Ｗｅｂサーバ２１は、端末１０−１〜１０−ｎからのアクセスによって情報画面を提供する。Ｗｅｂサーバ２１から端末１０−１〜１０−ｎに提供される情報画面としては、歌詞の印刷や登録の処理内容を指定するための処理内容指定画面や、歌詞や画像を登録するための画面や、歌詞情報が印刷される楽曲を検索するための画面や、検索された楽曲の中から歌詞情報が印刷される楽曲を選択するための画面や、端末１０−１〜１０−ｎにおける注文内容を確認するための画面等がある。
【００１９】
歌詞管理サーバ３０は、歌詞取得部３１、画像取得部３２、情報組立部３３、歌詞情報管理部３４及び楽曲情報管理部３５から構成されている。
【００２０】
歌詞取得部３１は、端末１０−１〜１０−ｎから送信されてきた歌詞を、歌詞による楽曲を特定可能な楽曲情報となる曲名や作詞者名とともに取得する。
【００２１】
画像取得部３２は、端末１０−１〜１０−ｎから送信されてきた画像を、その画像内にて歌詞を配置する領域を示すエリア情報とともに取得する。
【００２２】
情報組立部３３は、歌詞取得部３１にて取得された歌詞を、画像取得部３２にて取得された画像のエリア情報によって示される領域に配置して歌詞情報を組み立てる。
【００２３】
歌詞情報管理部３４は、情報組立部３３にて組み立てられた歌詞情報を、楽曲毎に付与された識別情報となる曲ＩＤに対応づけて歌詞情報データベース２２に登録して管理する。
【００２４】
楽曲情報管理部３５は、歌詞取得部３１にて取得された楽曲情報となる曲名や作詞者名を曲ＩＤに対応づけて楽曲情報データベース２３に登録して管理する。
【００２５】
注文管理サーバ２４は、端末１０−１〜１０−ｎにて歌詞情報の印刷が指定された場合にその注文を受け付け、歌詞情報の印刷が指定された楽曲の曲ＩＤを注文情報データベース２７に登録するとともに、その歌詞情報が印刷された印刷物の配送先情報を配送先情報データベース２８に登録する。
【００２６】
情報検索部２５は、注文管理サーバ２４にて歌詞情報の印刷の注文が受け付けられた場合に、配送先情報データベース２８から配送先情報を取得するとともに、注文情報データベース２７からその楽曲の曲ＩＤを取得し、楽曲情報データベース２３及び歌詞情報データベース２２の中から、注文された楽曲の楽曲情報及び歌詞情報を検索する。
【００２７】
印刷部２６は、情報検索部２５にて配送先情報データベース２８から取得された配送先情報と、情報検索部２５にて楽曲情報データベース２３及び歌詞情報データベース２２の中から検索された楽曲情報及び歌詞情報とを印刷する。
【００２８】
以下に、上記のように構成された歌詞登録印刷システム２０における処理について説明する。
【００２９】
まず、歌詞登録印刷システム２０に歌詞情報を登録する際の処理について、端末１０−１を用いて歌詞情報を登録する場合を例に挙げて説明する。
【００３０】
図２は、図１に示した端末１０−１を用いて歌詞登録印刷システム２０に歌詞情報を登録する際の処理を説明する際のフローチャートである。
【００３１】
端末１０−１の利用者が、図１に示した端末１０−１を用いて歌詞登録印刷システム２０に歌詞情報を登録するために、インターネット４０を介して歌詞登録印刷システム２０にアクセスすると（ステップＳ１）、歌詞登録印刷システム２０のＷｅｂサーバ２１から、処理内容を指定するための処理内容指定画面が送信され（ステップＳ２）、インターネット４０を介して端末１０−１にて受信されて表示される（ステップＳ３）。
【００３２】
図３は、図１に示した歌詞登録印刷システム２０のＷｅｂサーバ２１から送信されて端末１０−１に表示される処理内容指定画面の一例を示す図である。
【００３３】
図３に示すように、図１に示した歌詞登録印刷システム２０のＷｅｂサーバ２１から送信された端末１０−１に表示される処理内容指定画面には、歌詞情報を印刷する処理と歌詞情報を登録する処理とのいずれか一方を指定するための処理内容指定領域５１が設けられているとともに、処理内容指定領域５１における指定を決定するための決定ボタン５２が掲載されている。処理内容指定領域５１は、歌詞情報を印刷する処理と歌詞情報を登録する処理とのそれぞれにラジオボタンが設けられており、それにより、１つの処理内容が指定されることになる。
【００３４】
そして、歌詞登録印刷システム２０に歌詞情報を登録するために処理内容指定領域５１にて歌詞情報を登録する処理が指定されると（ステップＳ４）、歌詞登録印刷システム２０のＷｅｂサーバ２１から、歌詞を登録するための歌詞登録画面が送信され（ステップＳ５）、インターネット４０を介して端末１０−１にて受信されて表示される（ステップＳ６）。
【００３５】
図４は、図１に示した歌詞登録印刷システム２０のＷｅｂサーバ２１から送信されて端末１０−１に表示される歌詞登録画面の一例を示す図である。
【００３６】
図４に示すように、図１に示した歌詞登録印刷システム２０のＷｅｂサーバ２１から送信された端末１０−１に表示される歌詞登録画面には、歌詞登録印刷システム２０に登録する歌詞を入力するための歌詞入力領域５３ｄと、この歌詞による楽曲の曲名を入力するための曲名入力領域５３ａと、この歌詞を作詞した作詞者名を入力するための作詞者名入力領域５３ｂと、この歌詞の発表年を入力するための発表年入力領域５３ｃとが設けられているとともに、これら歌詞入力領域５３ｄ、曲名入力領域５３ａ、作詞者名入力領域５３ｂ及び発表年入力領域５３ｃに入力した情報を登録するための登録ボタン５４が掲載されている。
【００３７】
そして、歌詞登録印刷システム２０に登録する歌詞が歌詞入力領域５３ｄに入力され、この歌詞による楽曲の曲名が曲名入力領域５３ａに入力され、この歌詞を作詞した作詞者名が作詞者名入力領域５３ｂに入力され、この歌詞の発表年が発表年入力領域５３ｃに入力され、登録ボタン５４が押下されると、歌詞入力領域５３ｄに入力された歌詞と、曲名入力領域５３ａに入力された曲名と、作詞者名入力領域５３ｂに入力された作詞者名と、発表年入力領域５３ｃに入力された発表年とが送信され（ステップＳ７）、歌詞登録印刷システム２０のＷｅｂサーバ２１にて受信され、歌詞取得部３１に送られる（ステップＳ８）。これにより、歌詞取得部３１においては、端末１０−１から送信された歌詞、曲名、作詞者名、発表年が取得されることになる。なお、歌詞取得部３１にて取得されたこれらの情報のうち、曲名及び作詞者名は楽曲を特定可能な楽曲情報となる。
【００３８】
歌詞取得部３１にて取得された歌詞、曲名、作詞者名、発表年は、楽曲情報管理部３５に送られ、楽曲情報管理部３５において、これらの情報に楽曲毎に識別情報となる曲ＩＤが付与され、歌詞取得部３１にて取得された歌詞、曲名、作詞者名、発表年が曲ＩＤと対応づけて楽曲情報データベース２３に登録されて管理される（ステップＳ９）。
【００３９】
次に、歌詞登録印刷システム２０のＷｅｂサーバ２１から、画像を登録するための画像登録画面が送信され（ステップＳ１０）、インターネット４０を介して端末１０−１にて受信されて表示される（ステップＳ１１）。
【００４０】
図５は、図１に示した歌詞登録印刷システム２０のＷｅｂサーバ２１から送信されて端末１０−１に表示される画像登録画面の一例を示す図である。
【００４１】
図５に示すように、図１に示した歌詞登録印刷システム２０のＷｅｂサーバ２１から送信された端末１０−１に表示される画像登録画面には、歌詞登録印刷システム２０に歌詞と組み合わせて登録する画像のファイル名を入力するための画像ファイル名入力領域５５ａが設けられているとともに、画像のファイル名を参照するための参照ボタン５５ｂと、画像ファイル名入力領域５５ａに入力されたファイル名による画像を歌詞登録印刷システム２０に歌詞と組み合わせて登録するための登録ボタン５６とが掲載されている。
【００４２】
そして、参照ボタン５５ｂが押下されて画像のファイルが指定されたり、画像ファイル名入力領域５５ａに画像のファイル名が直接入力されたりすることにより、歌詞登録印刷システム２０に歌詞と組み合わせて登録する画像が指定されて登録ボタン５６が押下されると、指定された画像が端末１０−１に表示される（ステップＳ１２）。
【００４３】
図６は、図１に示した歌詞登録印刷システム２０に歌詞と組み合わせて登録する画像が端末１０−１に表示された状態を示す図である。
【００４４】
図６に示すように、端末１０−１には、図５に示した画像登録画面を用いて指定された画像５７が表示されるとともに、その画像５７を、歌詞登録印刷システム２０に歌詞と組み合わせて登録する画像として決定するための決定ボタン５８が掲載される。
【００４５】
そして、図６に示した画面の画像５７が表示された領域において、ステップＳ７にて入力した歌詞を配置する領域が指定される（ステップＳ１３）。この歌詞が配置される領域の指定は、例えば、画像５７が表示された領域において、ドラッグやクリック等の操作によって、ステップＳ７にて入力した歌詞を配置する領域が特定されることによって行われ、指定された領域は、図５に示した画像登録画面を用いて指定された画像５７内にて歌詞が配置されるエリア情報として画像とともに歌詞登録印刷システム２０に送信される。
【００４６】
歌詞登録印刷システム２０においては、端末１０−１から送信されてきた画像及びエリア情報がＷｅｂサーバ２１にて受信され、これらの情報がＷｅｂサーバ２１から画像取得部３２に送られる（ステップＳ１４）。これにより、画像取得部３２においては、図５に示した画像登録画面を用いて指定された画像と、この画像内においてステップＳ７にて入力した歌詞を配置する領域を示すエリア情報とが取得されることになる。
【００４７】
次に、情報組立部３４において、歌詞取得部３１にて取得された歌詞が、画像取得部３２にて取得された画像のエリア情報によって示される領域に配置されて歌詞情報が組み立てられ（ステップＳ１５）、組み立てられた歌詞情報が掲載された歌詞情報掲載画面がＷｅｂサーバ２１から送信される（ステップＳ１６）。
【００４８】
Ｗｅｂサーバ２１から送信された歌詞情報掲載画面は、インターネット４０を介して端末１０−１にて受信されて表示される（ステップＳ１７）。
【００４９】
図７は、図１に示した歌詞登録印刷システム２０のＷｅｂサーバ２１から送信されて端末１０−１に表示される歌詞情報掲載画面の一例を示す図である。
【００５０】
図７に示すように、図１に示した歌詞登録印刷システム２０のＷｅｂサーバ２１から送信された端末１０−１に表示される歌詞情報掲載画面には、図５に示した画像登録画面を用いて指定された画像５７のうちステップＳ１３にて指定された領域に、ステップＳ７にて入力された歌詞５９が掲載された歌詞情報が掲載されているとともに、この歌詞情報を歌詞登録印刷システム２０に登録するための登録ボタン６０が掲載されている。
【００５１】
その後、図７に示した歌詞情報掲載画面に掲載された歌詞情報が確認され、登録ボタン６０が押下されると（ステップＳ１８）、歌詞情報管理部３４において、ステップＳ１５にて組み立てられた歌詞情報に、楽曲情報に付与されたものと同一の曲ＩＤが付与され、歌詞情報が曲ＩＤと対応づけて歌詞情報データベース２２に登録されて管理される（ステップＳ１９）。
【００５２】
このようにして、端末１０−１にて指定された歌詞が端末１０−１にて指定された画像の指定された領域に配置されて歌詞情報として登録されることになる。
【００５３】
次に、歌詞登録印刷システム２０に登録された歌詞情報を印刷する際の処理について、端末１０−１にて歌詞情報の印刷が指定された場合を例に挙げて説明する。
【００５４】
図８は、図１に示した歌詞登録印刷システム２０に登録された歌詞情報の印刷が端末１０−１にて指定された際の処理を説明する際のフローチャートである。
【００５５】
端末１０−１の利用者が、図１に示した端末１０−１を用いて歌詞登録印刷システム２０に登録された歌詞情報を印刷するために、インターネット４０を介して歌詞登録印刷システム２０にアクセスすると（ステップＳ３１）、歌詞登録印刷システム２０のＷｅｂサーバ２１から、図３に示したような処理内容を指定するための処理内容指定画面が送信され（ステップＳ３２）、インターネット４０を介して端末１０−１にて受信されて表示される（ステップＳ３３）。
【００５６】
そして、歌詞登録印刷システム２０に登録された歌詞情報を印刷するために処理内容指定領域５１（図３参照）にて歌詞情報を印刷する処理が指定されると（ステップＳ３４）、歌詞登録印刷システム２０のＷｅｂサーバ２１から、歌詞情報を印刷する楽曲を検索するための楽曲検索画面が送信され（ステップＳ３５）、インターネット４０を介して端末１０−１にて受信されて表示される（ステップＳ３６）。
【００５７】
図９は、図１に示した歌詞登録印刷システム２０のＷｅｂサーバ２１から送信されて端末１０−１にて表示される楽曲検索画面の一例を示す図である。
【００５８】
図９に示すように、図１に示した歌詞登録印刷システム２０のＷｅｂサーバ２１から送信されて端末１０−１に表示される楽曲検索画面には、検索種別を選択するための検索種別選択領域６３と、検索条件を入力するための検索条件入力領域６１と、検索条件入力領域６１に入力した条件で検索をかけるための検索ボタン６２とが設けられている。検索種別選択領域６３は、「曲名」、「作詞者名」、「歌詞」等といった検索種別のそれぞれにラジオボタンが設けられており、それにより、１つの検索種別が選択されることになる。検索条件入力領域６１には、検索種別選択領域６３にて選択した検索種別に応じて検索条件を入力することになる。例えば、検索種別選択領域６３にて「曲名」を選択した場合は、検索条件として、歌詞を印刷したい楽曲の曲名を入力し、検索種別選択領域６３にて「作詞者名」を選択した場合は、検索条件として、印刷したい歌詞を作詞した作詞者名を入力し、検索種別選択領域６３にて「歌詞」を選択した場合は、検索条件として、歌詞を印刷したい曲の歌詞を入力することになる。
【００５９】
図９に示した楽曲検索画面に対して、検索種別選択領域６３にて検索種別が選択され、検索条件入力領域６１に検索条件が入力されて検索ボタン６２が押下されると、検索種別選択領域６３にて選択された検索種別と、検索条件入力領域６１に入力された検索条件とが送信され（ステップＳ３７）、Ｗｅｂサーバ２１にて受信される（ステップＳ３８）。
【００６０】
検索種別選択領域６３にて選択された検索種別と検索条件入力領域６１に入力された検索条件とがＷｅｂサーバ２１にて受信されると、Ｗｅｂサーバ２１にて受信された検索種別及び検索条件は、注文管理サーバ２４に送られ、注文管理サーバ２４において、楽曲情報データベース２３が参照され、Ｗｅｂサーバ２１から送られてきた検索種別及び検索条件に基づいて、歌詞を印刷する楽曲が検索される（ステップＳ３９）。
【００６１】
ここで、図１に示した楽曲情報データベース２３には、楽曲の曲名と作詞者名と発表年と歌詞とが、楽曲を識別可能な曲ＩＤが付与された状態で互いに対応づけて登録されている。
【００６２】
注文管理サーバ２４においては、Ｗｅｂサーバ２１から送られてきた検索種別が「曲名」である場合は、楽曲情報データベース２３に登録された曲名の中からその曲名に対応づけられた楽曲が検索される。また、Ｗｅｂサーバ２１から送られてきた検索種別が「作詞者名」である場合は、楽曲情報データベース２３に登録された作詞者名の中からその作詞者名を含む楽曲が検索され、また、Ｗｅｂサーバ２１から送られてきた検索種別が「歌詞」である場合は、楽曲情報データベース２３に登録された歌詞の中からその歌詞を含む楽曲が検索されることになる。これにより、所望の楽曲の曲名や歌詞の一部しかわからない場合であっても、その一部を入力することにより所望の楽曲を検索可能となっている。
【００６３】
注文管理サーバ２４における検索結果はＷｅｂサーバ２１に送信され、Ｗｅｂサーバ２１において、ステップＳ３７にて選択された検索種別と入力された検索条件とによる検索結果が掲載された検索結果画面が作製されて送信される（ステップＳ４０）。
【００６４】
Ｗｅｂサーバ２１から送信された検索結果画面は、インターネット４０を介して端末１０−１にて受信されて表示される（ステップＳ４１）。
【００６５】
図１０は、図１に示した歌詞登録印刷システム２０のＷｅｂサーバ２１から送信されて端末１０−１にて表示される検索結果画面の一例を示す図である。
【００６６】
図１０に示すように、歌詞登録印刷システム２０のＷｅｂサーバ２１から送信されて端末１０−１にて表示される検索結果画面には、注文管理サーバ２４にて楽曲情報データベース２３から検索された曲名が検索結果６４として掲載されているとともに、この検索結果６４として曲名が掲載された楽曲の中から、歌詞を印刷する楽曲を選択するための楽曲選択領域６５と、楽曲選択領域６５における選択を決定するための選択ボタン６６が設けられている。なお、楽曲選択領域６５は、チェックボックスによって選択可能となっており、それにより、検索結果６４として掲載された楽曲の中から複数の楽曲を選択可能となっている。
【００６７】
楽曲選択領域６５のチェックボックスのうち、歌詞を印刷する楽曲のチェックボックスにチェックが入力され、選択ボタン６６が押下されると（ステップＳ４２）、注文管理サーバ２４において、歌詞を印刷する楽曲が受け付けられる（ステップＳ４３）。この楽曲の受け付けは、その楽曲に付与された曲ＩＤを用いて行われる。またこの際、注文毎に注文ＩＤが付与され、注文管理サーバ２４において、選択された楽曲の曲ＩＤと注文ＩＤとが対応づけて管理される。
【００６８】
次に、歌詞登録印刷システム２０のＷｅｂサーバ２１から、印刷部２６にて歌詞が印刷されることにより作製された印刷物の配送先の住所や氏名等の配送先情報を入力するための配送先情報入力画面が送信され（ステップＳ４４）、端末１０−１にて受信されて表示される（ステップＳ４５）。
【００６９】
そして、端末１０−１において、配送先情報入力画面に印刷部２６にて作製された印刷物の配送先の住所や氏名等の配送先情報が入力されて送信されると（ステップＳ４６）、注文管理サーバ２４において、印刷部２６にて作製された印刷物の配送先の配送先情報が受け付けられる（ステップＳ４７）。またこの際、受け付けられた配送先情報は、ステップＳ４３にて楽曲が受け付けられた際に付与された注文ＩＤに対応づけられる。
【００７０】
次に、歌詞登録印刷システム２０のＷｅｂサーバ２１において、上述した一連の処理によって指定され、注文管理サーバ２４にて管理されている注文内容を確認するための注文確認画面が作製されて送信され（ステップＳ４８）、端末１０−１にて受信されて表示される（ステップＳ４９）。
【００７１】
図１１は、図１に示した歌詞登録印刷システム２０のＷｅｂサーバ２１から送信されて端末１０−１にて表示される注文確認画面の一例を示す図である。
【００７２】
図１１に示すように、歌詞登録印刷システム２０のＷｅｂサーバ２１から送信されて端末１０−１にて表示される注文確認画面には、ステップＳ４２にて選択した楽曲の曲名が記載された注文内容７３と、ステップＳ４６にて入力した配送先情報７４が掲載されているとともに、注文内容７３に応じた料金７５が掲載され、また、この内容で注文する場合に押下する注文ボタン７６が設けられている。なお、料金７５は、歌詞が印刷される楽曲の数に応じて決まる。
【００７３】
図１１に示した注文確認画面の内容が確認された後、注文ボタン７６が押下されると（ステップＳ５０）、注文管理サーバ２４にて管理されている注文内容が受け付けられ（ステップＳ５１）、ステップＳ４３にて受け付けられた楽曲の曲ＩＤが注文ＩＤとともに注文情報データベース２７に登録されるとともに、ステップＳ４７にて受け付けられた配送先情報が注文ＩＤとともに配送先情報データベース２８に登録される。
【００７４】
そして、Ｗｅｂサーバ２１において、ステップＳ５０にて確認された注文内容が受け付けられた旨を示す注文受付画面が作製されて送信され（ステップＳ５２）、端末１０−１にて受信されて表示される（ステップＳ５３）。
【００７５】
図１２は、図１に示した歌詞登録印刷システム２０のＷｅｂサーバ２１から送信されて端末１０−１にて表示される注文受付画面の一例を示す図である。
【００７６】
図１２に示すように、歌詞登録印刷システム２０のＷｅｂサーバ２１から送信されて端末１０−１にて表示される注文受付画面には、注文を確認した注文受付画面に掲載されたものと同様の注文内容７３、配送先情報７４及び料金７５が掲載されている。端末１０−１の利用者は、その後、この注文受付画面に掲載された料金７５に基づいて代金を支払うことになる。
【００７７】
その後、情報検索部２５において、まず、注文情報データベース２７に登録された曲ＩＤが注文ＩＤによって取得されるとともに（ステップＳ５４）、配送先情報データベース２８に登録された配送先情報が注文ＩＤによって取得される（ステップＳ５５）。
【００７８】
次に、情報検索部２５において、楽曲情報データベース２３及び歌詞情報データベース２２の中から、注文情報データベース２７から取得された曲ＩＤに対応づけられた楽曲情報及び歌詞情報がそれぞれ検索される（ステップＳ５６）。ここで、楽曲情報データベース２３には、楽曲情報となる歌詞、曲名、作詞者名、発表年が曲ＩＤと対応づけて登録されているため、曲ＩＤを指定することによってこれらの楽曲情報を検索することができる。また同様に、歌詞情報データベース２２には、ステップＳ１５にて組み立てられた歌詞情報が曲ＩＤと対応づけて登録されているため、曲ＩＤを指定することによって歌詞情報を検索することができる。
【００７９】
その後、印刷部２６において、情報検索部２５にて配送先情報データベース２８から取得された配送先情報と、情報検索部２５にて楽曲情報データベース２３から検索された楽曲情報と、情報検索部２５にて歌詞情報データベース２２から検索された歌詞情報とが印刷された印刷物が作製される（ステップＳ５７）。
【００８０】
印刷部２６にて作製された印刷物は、その後、印刷物に印刷された配送先情報に従って配送先に配送されることになる。
【００８１】
なお、本形態においては、端末１０−１〜１０−ｎから送信された歌詞情報を登録し、端末１０−１〜１０−ｎにて指定された歌詞情報を印刷する歌詞登録印刷システム２０を例に挙げて説明したが、本発明の歌詞登録システムとしては、歌詞登録印刷システム２０に含まれる注文管理サーバ２４、情報検索部２５及び印刷物２６は必須ではなく、端末１０−１〜１０−ｎから送信された歌詞情報を登録することができるものであればよい。
【図面の簡単な説明】
【００８２】
【図１】本発明の歌詞登録システムの実施の一形態を示す図である。
【図２】図１に示した端末を用いて歌詞登録印刷システムに歌詞情報を登録する際の処理を説明する際のフローチャートである。
【図３】図１に示した歌詞登録印刷システムのＷｅｂサーバから送信されて端末に表示される処理内容指定画面の一例を示す図である。
【図４】図１に示した歌詞登録印刷システムのＷｅｂサーバから送信されて端末に表示される歌詞登録画面の一例を示す図である。
【図５】図１に示した歌詞登録印刷システムのＷｅｂサーバから送信されて端末に表示される画像登録画面の一例を示す図である。
【図６】図１に示した歌詞登録印刷システムに歌詞と組み合わせて登録する画像が端末に表示された状態を示す図である。
【図７】図１に示した歌詞登録印刷システムのＷｅｂサーバから送信されて端末に表示される歌詞情報掲載画面の一例を示す図である。
【図８】図１に示した歌詞登録印刷システムに登録された歌詞情報の印刷が端末にて指定された際の処理を説明する際のフローチャートである。
【図９】図１に示した歌詞登録印刷システムのＷｅｂサーバから送信されて端末にて表示される楽曲検索画面の一例を示す図である。
【図１０】図１に示した歌詞登録印刷システムのＷｅｂサーバから送信されて端末にて表示される検索結果画面の一例を示す図である。
【図１１】図１に示した歌詞登録印刷システムのＷｅｂサーバから送信されて端末にて表示される注文確認画面の一例を示す図である。
【図１２】図１に示した歌詞登録印刷システムのＷｅｂサーバから送信されて端末にて表示される注文受付画面の一例を示す図である。
【符号の説明】
【００８３】
１０−１〜１０−ｎ    端末
２０    歌詞登録印刷システム
２１    Ｗｅｂサーバ
２２    歌詞情報データベース
２３    楽曲情報データベース
２４    注文管理サーバ
２５    情報検索部
２６    印刷部
２７    注文情報データベース
２８    配送先情報データベース
３０    歌詞管理サーバ
３１    歌詞取得部
３２    画像取得部
３３    情報組立部
３４    歌詞情報管理部
３５    楽曲情報管理部
４０    インターネット
【図１】
2007317119.tif 000003
【図２】
2007317119.tif 000004
【図３】
2007317119.tif 000005
【図４】
2007317119.tif 000006
【図５】
2007317119.tif 000007
【図６】
2007317119.tif 000008
【図７】
2007317119.tif 000009
【図８】
2007317119.tif 000010
【図９】
2007317119.tif 000011
【図１０】
2007317119.tif 000012
【図１１】
2007317119.tif 000013
【図１２】
2007317119.tif 000014